(57)【要約】【課題】それ自身にはモニタ機能がない装置であって、テレビモニタやオーディオアンプなどの複数の周辺機器を自動的に制御できるようにする。【解決手段】リモコン装置３６を使用しながらテレビモニタ２４をオンスクリーン画面として視聴予約がなされる。制御すべき周辺機器は室内のテレビモニタ２４、オーディオアンプ２６さらには天井等に設置されている照明器具３２などである。送出部４０からは視聴予約されたコマンド信号が送出され、これを受けてテレビモニタ２４の電源が入り、受信装置２０からの映像Ｖが表示される。オーディオアンプ２６もオンとなり装置２０からの音声Ａが出力される。照明器具３２も制御されて明かりが灯る。これで、帰宅時間に合わせた複数の制御処理を送出部４０からのコマンド出力によって実現できる。【選択図】        図１
2005057589.tif 000002
【特許請求の範囲】
【請求項１】
チューナと、
このチューナによって選局されたテレビジョン信号から映像信号とオーディオ信号を復調する信号処理部と、
外部リモコン信号を受ける受光部と、
機器制御用のコマンド情報を映像表示しながら上記外部リモコン信号によって上記コマンド情報を設定するための映像処理部と、
この映像処理部からの映像出力が上記信号処理部を介して出力される出力端子部と、
設定された上記コマンド情報を記憶する記憶部と、
記憶された上記コマンド情報を外部に送出する送出部と、
装置全体の制御を司ると共に、上記コマンド情報を処理する処理プログラムを内蔵した制御部とを有し、
上記コマンド情報は少なくともテレビモニタに対する電源オン用のコマンド情報を含む
ことを特徴とする受信装置。
【請求項２】
上記受光部は赤外線受光部であり、上記送出部は赤外線発光部である
ことを特徴とする請求項１記載の受信装置。
【請求項３】
上記コマンド情報には、さらにオーディオアンプ、照明装置に対する電源オン用のコマンド情報を含む
ことを特徴とする請求項１記載の受信装置。
【請求項４】
上記コマンド情報には電源オフ用のコマンド情報を含む
ことを特徴とする請求項１記載の受信装置。
【請求項５】
上記送出部は、装置本体に対して着脱自在に構成された赤外線発光部である
ことを特徴とする請求項２記載の受信装置。
【請求項６】
上記送出部は、無指向性の赤外線発光部で構成されることを特徴とする請求項１記載の受信装置。
【請求項７】
上記送出部は、指向性を有する２以上の赤外線発光部で構成されることを特徴とする請求項１記載の受信装置。
【請求項８】
上記装置は、セットトップボックス型である
ことを特徴とする請求項１記載の受信装置。
【発明の詳細な説明】
【技術分野】
【０００１】
この発明は、テレビモニタなどの周辺機器を制御するための制御機能を有した受信装置に関する。詳しくは、それ自身にはモニタ機能がない装置であって、テレビモニタやオーディオアンプなど、複数の周辺機器に対してそれぞれ制御情報を設定できるようにし、設定時間が到来したときこれら複数の周辺機器を自動的に制御できるようにしたものである。
【背景技術】
【０００２】
最近のＡＶシステム、例えばデジタル衛星放送を受信するための受信システムなどでは、デジタル衛星放送を受信する受信装置と、この受信装置より出力された映像信号とオーディオ信号がそれぞれ供給されるテレビモニタとが別体構成となされている場合がある。この別体構成機器のうち受信装置は通常セットトップボックス（ＳＴＢ）と称されている。
【０００３】
このような受信システムでは、テレビモニタを利用したオンスクリーン画面を見ながら各種の設定ができるようになされているので、制御対象機器自体を利用して設定情報の入力処理を行う必要がないなどの利便性を有する。したがって例えば制御対象機器がＶＴＲである場合には、ＶＴＲを操作することなくオンスクリーン画面を見ながら録画の予約ができる。
【０００４】
そのためには、受信装置とＶＴＲとの間に設定情報の伝送手段が介在される。この伝送手段としては光学的伝送手段を利用する場合が多い。この光学的伝送手段は通常赤外線を利用するもので、特許文献１に示されるように赤外線を利用したこの光学的伝送手段（赤外線発光部）をＡＶマウスと称する場合がある。
【０００５】
設定した情報は受信装置に内蔵された記憶部に記憶される。そして設定時刻になると、記憶部に記憶された設定情報が読み出され、読み出された設定情報は光学的伝送手段を介してＶＴＲに伝送される。ＶＴＲに設けられた受光部で設定情報が受光される。この受光部は通常の外部リモコン信号を受けるための受光部が利用される。
【０００６】
設定情報には、ＶＴＲの電源をオンするためのコマンド信号、受信チャネルを設定チャネルに切り替えるためのチャネル選択用のコマンド信号、選局された番組を自動的に録画するための録画処理用（記録用）のコマンド信号、さらには番組の録画が終了したときにＶＴＲの電源をオフするためのコマンド信号などが含まれる。
【０００７】
これらコマンド信号は、何れも外部リモコン信号と同じ信号形態であるので、ＶＴＲ側では受信したこれらコマンド信号を解読して、該当する制御を直ちに実行できるので、コマンド信号を受信することによって予約された番組を録画できることになる。
【０００８】
【特許文献１】特開２００１−２２３９５３号公報
【発明の開示】
【発明が解決しようとする課題】
【０００９】
ところで、特許文献１に示されるように受信装置に接続された赤外線発光部は、特定の、１つの機器が制御対象機器となるものである。例えば上述したように赤外線発光部からの信号によって制御されるのはＶＴＲの１機種のみである。予約録画を設定する場合には、このように制御対象を絞り込むことに何ら違和感がない。
【００１０】
しかし、例えば帰宅時間に合わせて特定の番組を視聴したいようなときがある。その場合には、制御対象機器はテレビモニタのみに限らない。可能ならば、テレビモニタの電源を自動的にオンする処理の他に、オーディオアンプの電源を入れ、例えば５．１ＣＨのサラウンド環境を立ち上げると共に、テレビモニタなどの受信システムが備えられた室内の照明器具（蛍光灯など）も同時に制御できれば好ましい。受信装置自体は電源が入った状態となっているので、テレビモニタの他に、少なくともオーディオアンプや照明器具に対する電源制御が必要になってくる。
【００１１】
特許文献１には、このように複数の機器を同時に制御する技術は触れられていない。
【００１２】
そこで、この発明はこのような従来の課題を解決したものであって、特にそれ自身にはモニタ機能がない装置であって、テレビモニタやオーディオアンプなど、複数の周辺機器に対してそれぞれ制御情報を設定できるようにし、設定時間が到来したときこれら複数の周辺機器を自動的に制御できるようにした、受信装置を提案するものである。
【課題を解決するための手段】
【００１３】
上述の課題を解決するため、請求項１に記載したこの発明に係る受信装置では、チューナと、このチューナによって選局されたテレビジョン信号から映像信号とオーディオ信号を復調する信号処理部と、外部リモコン信号を受ける受光部と、機器制御用のコマンド情報を映像表示しながら上記外部リモコン信号によって設定するための映像処理部と、この映像処理部からの映像出力が信号処理部を介して出力される出力端子部と、設定されたコマンド情報を記憶する記憶部と、記憶されたこのコマンド情報を外部に送出する送出部と、装置全体の制御を司ると共に、コマンド情報を処理する処理プログラムを内蔵した制御部とからなり、コマンド情報は少なくともテレビモニタに対する電源オン用のコマンド情報を含むことを特徴とする。
【００１４】
この発明では、テレビジョン信号を受信できる受信系が設けられている。この受信系には、デジタル衛星放送信号を受信する機能の他に、地上アナログテレビジョン信号や地上デジタル放送波などをそれぞれ受信できる機能も併せ持つように構成することもできる。
【００１５】
受信系では受信したテレビジョン信号から映像信号とオーディオ信号（音声信号）とが復調され、復調された映像信号とオーディオ信号が、この信号処理部に設けられた出力端子を介して、それぞれテレビモニタに信号線を介して供給される。オーディオアンプが別に設けられているときはこのオーディオアンプにもオーディオ信号が供給される。ＶＴＲやＤＶＤなどが受信システムとして設置されているときには、これらＶＴＲやＤＶＤにもこの出力端子を介して映像信号とオーディオ信号とがそれぞれ供給される。
【００１６】
受信装置には、外部リモコン信号を受信（受光）する受光部と、受光した内容を表示したりするＬＣＤ等より構成された表示部、さらには設定された情報を記憶する記憶部や、設定情報を外部に送出するための送出部が設けられている。送出部は上述した赤外線発光部として機能する。送出部は赤外線以外の光学伝送手段とすることも可能である。
【００１７】
受信装置を介してテレビモニタをオンスクリーン画面として各種の設定がなされる。そのため、受信装置には外部リモコン信号を受信（受光）する受光部が設けられると共に、オンスクリーン画面表示を実現するためのＧＵＩ（Graphical User Interface）が設けられている。このＧＵＩとマイコンによる映像処理機能によって生成された映像出力が上述した出力端子を介してテレビモニタに供給される。
【００１８】
この発明では受信装置によって制御すべき周辺機器としては単一ではなく、複数の周辺機器を対象とする。そのためこの送出部から出射した光は受信システム全体に到達するようになされている。この例では室内に設置されたテレビモニタ、オーディオアンプさらには天井等に設置されている照明器具の全てを制御できるように、送出部の向きや出射光のレベルなどが設定されている。無指向性の送出部であるならば、１個の送出部が使用される。指向性を有する送出部を使用するならば、複数個の送出部が使用される。
【００１９】
テレビモニタやオーディオアンプにはそれぞれリモコン信号によって、その電源をオンオフ制御できるようになされたテレビモニタやオーディオアンプが対象となる。同様に、照明器具にあっても、リモコンによってもそのオンオフが制御できるようになされた、リモコン式の照明器具（蛍光灯など）である。
【００２０】
リモコンによって制御条件が設定される。設定内容としては、予約視聴すべき番組およびその放送時間と、制御対象機器の特定（テレビモニタ、オーディオアンプおよび照明器具など）である。番組の放送時間は、これら制御対象機器に対する電源立ち上げ時刻（それぞれの電源をオンにする時刻）そのものであり、またこれは帰宅時間にほぼ一致している。
【００２１】
設定時刻になると、受信装置では設定された番組を受信するための処理（該当する受信系に対する電源の立ち上げ、受信チャネルの切り替えなど）が行われる。さらに受信装置に設けられた送出部からリモコン信号を出射する。この例ではテレビモニタ、オーディオアンプおよび照明器具の全てが制御対象であるので、テレビモニタ、オーディオアンプおよび照明器具の全てがこのリモコン信号を受光することによって、それぞれの電源が入る。したがって、帰宅に前後して室内の照明が入り、設定した番組をテレビモニタに映し出すことができる。そして、５．１ＣＨなどのサラウンド環境で番組を視聴できる。
【００２２】
予約視聴と同時にまたは時刻を異にして予約録画を実行するときは、対象機器（ＶＴＲ、ＤＶＤなど）も設定時刻に予約視聴と同様に遠隔制御される。
【発明の効果】
【００２３】
この発明では、テレビモニタの画面を利用して、つまりオンスクリーン画面で複数の制御対象機器に対して予約視聴などの制御条件を設定できると共に、設定時刻になると、これら複数の機器を同時に遠隔制御できるので、帰宅時間に合わせてテレビモニタ、オーディオアンプ、照明器具などの電源を自動制御できるので、非常に便利である。したがって予約視聴を行うときに、特に便利である。
【発明を実施するための最良の形態】
【００２４】
続いて、この発明に係る受信装置の好ましい実施例を図面を参照して詳細に説明する。
図１はこの発明に係る受信装置をテレビ受信システム１０に適用した場合の要部の系統図で、デジタル衛星放送を始めとして地上アナログ放送や地上デジタル放送を受信できるように、ＵＨＦやＶＨＦアンテナ１２と衛星用アンテナ（パラボラアンテナ）１４が設置され、これらアンテナ１２，１４からのテレビジョン信号は混合器１６によって混合された上で受信装置２０に供給される。
【００２５】
受信装置２０はそれ自身映像モニタ機能を持たない装置であって、この例ではセットトップボックス（ＳＴＢ）として構成されている。ただし、後述するテレビモニタ２４などの筐体の上にセットされるのではなく、これらとは別個に、テレビモニタ２４などから離してセットされる。これは後述するように、受信装置２０から送出したリモコン信号をテレビモニタ２４などが正しく受信できるようにするためである。
【００２６】
受信装置２０では受信したテレビジョン信号から希望チャネルの放送局が選局され、選局された放送局に関するテレビジョン信号（デジタル信号若しくはアナログ信号）からアナログの映像信号Ｖとオーディオ信号Ａとがそれぞれ復調される。
【００２７】
復調された映像信号Ｖとオーディオ信号Ａとは信号線２０ａ、２０ｂを介してテレビモニタ２４に供給されて映像および音声が再現される。テレビモニタ２４の他に、さらにオーディオアンプ２６，ＶＴＲ２８，ＤＶＤ３０などが設けられている場合には、これらの機器２６，２８，３０にも映像信号Ｖとオーディオ信号Ａは供給される。ただし、オーディオアンプ２６にはオーディオ信号Ａのみが供給される。オーディオアンプ２６は例えば５．１チャネル（５．１ＣＨ）サラウンドなどを楽しむときに使用される。
【００２８】
この発明では、この受信装置２０に関連した周辺機器２２（２４〜３０）および周辺機器２２が置かれた室内の照明器具（蛍光灯など）３２が受信装置２０に接続された送出部４０からのリモコン信号（コマンド信号）によって制御されるようになされている。
【００２９】
そのため、周辺機器２２のそれぞれにはこのリモコン信号を受ける受光部２５，２７，２９，３１が設けられ、受信したこのリモコン信号に応じて対応する処理を実行できる処理部が、それぞれの内部に備えられている。
【００３０】
さらに、照明器具３２もリモコン式の照明器具が使用され、したがって照明器具本体にはリモコン信号の受光部３３が設けられており、リモコン信号によって照明のオンオフ制御や、その明るさを調整できるものが使用される。
【００３１】
受信装置２０もリモコン制御が可能なように、リモコン信号の受光部２１が設けられ、リモコン装置３６から出力されたリモコン信号によって、自身の電源制御を始めとして、放送形態（デジタルテレビジョン信号かアナログテレビジョン信号か）を選択したり、希望する放送局を選局したりすることができる。
【００３２】
そして、この受信装置２０にはさらにリモコン信号の送出部４０が設けられる。この送出部４０は周辺機器２２や照明器具３２を遠隔制御できるようにするため、それぞれの受光部２５，２７，２９，３１および３３で受信できるような構成となされている。この例では赤外線発光部として構成されている。なお、特定の機器をこの赤外線発光部によって制御できるようになされたもの（送出部）を、ＡＶマウスと呼称する場合がある。
【００３３】
送出部４０には、受信装置２０で生成され、保存されていた周辺機器２２および照明器具３２に対するコマンド情報が供給され、このコマンド情報がリモコン信号（光信号）に変換されてから出射される。
【００３４】
コマンド情報としては、周辺機器２２の電源制御用コマンド（オンオフコマンド）の他に、オーディオアンプ２６であれば音量レベル設定用コマンドなどが考えられ、照明器具３２に対してはオンオフコマンドの他に明るさを設定するための明るさ設定用コマンドなどが考えられる。
【００３５】
送出部４０は無指向性のものでも、指向性のものでも、どちらでも使用できる。無指向性の送出部４０の場合には、図１に示すようにこの送出部４０は１個で足り、送出部４０からのリモコン信号を周辺機器２２と照明器具３２の全てが受光できるように、リモコン信号の出射レベルなどが調整される。
【００３６】
指向性の送出部４０を使用する場合、出射方向や、周辺機器２２の室内配置位置などを工夫することによって、１個の送出部４０で足りる場合以外は、複数個の送出部４０が使用される。例えば、周辺機器２２用の送出部４０と、照明器具３２用の送出部４０の２つを使用することが考えられる。しかし、送出部４０の使用個数には制限されない。
【００３７】
このように構成された受信装置２０を含む受信システム１０を構築すると、例えば帰宅時間に合わせてテレビの予約視聴が可能になる。帰宅したときに見たい番組（チャネルと放送時刻）を設定すると共に、どの周辺機器２２を制御したいか、その制御対象を特定し、特定した制御対象機器の何を制御したいかなどの制御条件を設定する。
【００３８】
このような内容を設定して、受信装置２０内の記憶部（メモリ）に保存すれば、設定時刻になると、受信装置２０自身では設定した番組を受信できるように、番組受信系の電源がオンされると共に、放送形態のセレクト、放送局（チャネル）の切り替えなどが自動的に行われる。これに加えて周辺機器２２に対するコマンド情報が読み出される。送出部４０からはコマンド情報がリモコン信号に変換されて送出される。
【００３９】
周辺機器２２ではこのリモコン信号を受けると、対応する処理が自動的に実行されるので、例えば周辺機器２２の電源がそれぞれ入り、テレビモニタ２４では選局された番組映像が映し出され、オーディオアンプ２６からはステレオや場合によっては５．１ＣＨサラウンドでオーディオ信号が再生される。そして、室内の照明器具３２も同時に制御されるから、室内には明かりが灯される。
【００４０】
図２は、上述した受信装置２０の要部の系統図である。端子２０ｃには混合器１６で混合されたデジタルまたはアナログのテレビジョン信号が供給され、このテレビジョン信号がチューナ５２に供給されて希望する放送局の選局が行われる。選局操作は例えばリモコン信号からの指令による。
【００４１】
チューナ５２で選局されたテレビジョン信号は後段の信号処理部５４に供給されてデジタル信号からアナログ信号への復号処理（デコード処理）や、復調処理などが行われて、これより映像信号Ｖとオーディオ信号Ａが得られる。復調された映像信号Ｖやオーディオ信号Ａは出力端子５５，５６を経由して外部に出力される。
【００４２】
チューナ５２および信号処理部５４は何れもバス５８を介して接続されたマイコン６０からの制御信号に基づいて処理される。マイコン６０には受信装置２０にとって必要な各種の処理を実行するための処理プログラムが格納されたメモリ部であるこの例ではフラッシュメモリＦＭ６２や、ワーキング用のメモリ部としても機能するＲＡＭ６４が設けられており、これらが何れもバス５８に接続されている。上述した処理プログラムには、周辺機器２２などを制御するための条件設定などのときに使用される処理プログラムも含まれる。
【００４３】
バス５８にはさらにＬＣＤなどの表示部６６が接続されると共に、テレビモニタ２４を利用したオンスクリーン画面による各種の設定処理を実現するために、この例ではＧＵＩなどの画像処理用ユーザインタフェース６８が接続される。このＧＵＩ６８とマイコン６０からの指示に基づいて、オンスクリーン画面に適宜な設定画面などが表示されることになるから、このＧＵＩ６８とマイコン６０とで、オンスクリーン画面表示用としての映像処理部が構成されることになる。
【００４４】
この発明ではさらにインタフェース７０が設けられ、ここに周辺機器２２や照明器具３２を制御するためのコマンド情報が供給される。コマンド情報は上述したＲＡＭ６４に格納されている。コマンド情報はインタフェース７０および出力端子７１を介して、この出力端子７１に接続された送出部４０に供給される。
【００４５】
送出部４０は上述したように赤外線発光部として構成されたもので、接続線を有するいわゆるＡＶマウスを使用することができる。この送出部４０は受信装置２０本体に内蔵することもできる。
【００４６】
さて、上述したように周辺機器２２などをリモコン信号によって制御するためには、制御条件の設定処理が行われる。図３および図４にその一例を示す。制御条件としては受信装置２０そのもの（本体）に対する制御条件と、周辺機器２２などに対する制御条件の双方を入力する必要がある。
【００４７】
設定条件として視聴予約を例示すると、そのときの受信装置本体に対する視聴設定としては、図３に示すように視聴チャネルの設定、視聴開始時間（時刻）の設定およびその終了時間の設定である。
【００４８】
視聴チャネルとは、デジタル衛星放送、地上アナログ放送、地上デジタル放送のうちの何れかのチャネルのことである。これらの設定は、ＥＰＧ（Electronics Program Guide）による番組表を利用できるものであれば、オンスクリーン画面に表示された番組表に提示されている番組情報を利用すればよい。視聴終了時間の設定は必ずしも必要ではない。ユーザに委ねることができるからである。視聴開始時間のみを設定するときの例を図４に示す。
【００４９】
制御対象機器として以下の例では図１に示す周辺機器２２のうち、テレビモニタ２４，オーディオアンプ２６を例示する。そしてその他に照明器具３２がある。これら３つが制御対象機器となる。そのときの視聴設定としては、図３に示すようにまずテレビモニタ２４であれば、その電源のオンオフ時間（時刻）である。次には、オーディオアンプ２６に対する電源のオンオフ時間であり、照明器具３２に対する電源のオンオフ時間である。これらのうち、電源をオフする時刻は必ずしも必要ではない。ユーザに委ねることができるからである。それぞれの電源をオンする時間のみを設定したときの例を図４に示す。オーディオアンプ２６については音量の設定を同時に行うこともできる。照明器具３２についてはその明るさ設定を同時に行うこともできる。
【００５０】
これらの制御条件の設定操作は何れも図１に示したリモコン装置３６とテレビモニタ２４のオンスクリーン画面を使用して行われ、その結果はＲＡＭ６４に記憶される。
【００５１】
図３に示すようなオンスクリーン画面を使用した設定処理は図５に示す処理手順内で行われる。図５以下を参照して詳細に説明する。図５において、初期メニューから予約メニューを選択すると、図５に示す処理プログラムが起動される。まず、予約処理が録画予約か否かがチェックされ、録画予約であるときには録画予約処理に遷移する（ステップ７３，８０）。録画予約処理でないときには、次の視聴予約かどうかが判断される（ステップ７４）。視聴予約であるときには、対応する視聴予約処理が実行される（ステップ９０）。視聴予約処理ではないときには、送出部４０であるＡＶマウスの設定処理かどうかを判断する。ＡＶマウスの設定処理であったときにはその設定処理が行われる（ステップ１００）。ＡＶマウスの設定処理が既に終了しているときには、他の処理ステップ１１０に遷移して、この処理ルーチンを抜けることになる。
【００５２】
図６は録画予約処理例を示す要部のフローチャートであって、デジタル衛星放送か地上放送かの、放送形態をセレクトした後は（ステップ８１）、オンスクリーン画面に番組表（ＥＰＧ）を表示して、録画番組を選択する（ステップ８２，８３）。番組表から録画番組をセレクトすることで、録画時間も同時にセレクトされることになる。その後、録画予約機種（図１の例ではＶＴＲかＤＶＤ）をセレクトしてからセットすることで録画予約が終了する（ステップ８４）。こうすることで、予約時間になると予約された番組の録画が開始される。このとき、録画開始のリモコン信号は送出部４０から送出されることになる。
【００５３】
図７は視聴予約の処理例を示す要部のフローチャートである。まず、図６と同様に放送形態がセレクトされたのち（ステップ９１）、視聴したい番組を番組表から選択する（ステップ９２）。これで番組の開始時刻および終了時刻も同時に選択されたことになる。
【００５４】
次に、制御対象機器を特定するため、まずテレビモニタ２４のオンオフ時間がセットされる（ステップ９３）。テレビモニタ２４のオン時間は番組開始時間と同じであるか、これよりも前の時刻にセットされる。番組終了時間は必要に応じてセットすればよい。
【００５５】
２番目には、オーディオアンプ２６のオンオフ時間がセットされる（ステップ９４）。オン時間およびオフ時間の設定はテレビモニタ２４の場合と同じである。最後に照明器具３２であるこの例では蛍光灯に対するオンオフ時間がセットされる（ステップ９５）。オン時間およびオフ時間の設定はテレビモニタ２４の場合と同じである。これら３つの制御対象機器に対してそれぞれの設定が終了することでこの設定処理ルーチンが終了することになる。
【００５６】
この設定によって予約された時刻になると、テレビモニタ２４およびオーディオアンプ２６がそれぞれ動作状態となるので、指定した番組の映像が映し出されると共に、オーディオ信号が出力される。また同時に蛍光灯が点灯するので、帰宅すると、あるいは帰宅して間もなくして、希望する番組をユーザの手を煩わせることなく楽しむことができる。オーディオアンプ２６に対する制御を省き、テレビモニタ２４からオーディオ信号を出力させることもできる。
【００５７】
図８は、送出部４０の設定処理例を示すフローチャートであって、必要に応じてまず放送形態をセレクトしたのち（ステップ１０１）、メニュー画面を表示して（ステップ１０２）、その中にある予約設定欄をセレクトすると（ステップ１０３）、ＡＶマウス設定欄が表示されるので、この欄をクリックすることで送出部４０をＡＶマウスとして、つまり赤外線発光部として利用することができる（ステップ１０４）。この一連の設定処理によって、上述した受信システム１０を稼働状態にセットすることができたことになる。
【００５８】
上述した実施例では、テレビジョン信号を受信できる受信系のみを内蔵させた受信装置を主として説明したが、モデムなどを内蔵させた受信装置にもこの発明を適用できる。
【産業上の利用可能性】
【００５９】
この発明は、セットトップボックスを利用してテレビモニタなどを制御するテレビ受信システムに適用できる。
【図面の簡単な説明】
【００６０】
【図１】この発明を適用した受信システムの要部の系統図である。
【図２】この発明に係る受信装置の要部の一例を示す系統図である。
【図３】視聴設定処理例を示す図である（その１）。
【図４】視聴設定処理例を示す図である（その２）。
【図５】設定処理例を示すフローチャートである。
【図６】録画予約の設定処理例を示すフローチャートである。
【図７】視聴予約の設定処理例を示すフローチャートである。
【図８】送出部の設定処理例を示すフローチャートである。
【符号の説明】
【００６１】
１０・・・受信システム、１２，１４・・・アンテナ、２０・・・受信装置、２２・・・周辺機器、２４・・・テレビモニタ、２６・・・オーディオアンプ、２８・・・ＶＴＲ、３０・・・ＤＶＤ、３２・・・照明器具、２１，２５，２７，２９，３１，３３・・・受光部、４０・・・送出部、３６・・・リモコン装置、６０・・・マイコン、６８・・・ＧＵＩ、５４・・・信号処理部、５２・・・チューナ
【図１】
2005057589.tif 000003
【図２】
2005057589.tif 000004
【図３】
2005057589.tif 000005
【図４】
2005057589.tif 000006
【図５】
2005057589.tif 000007
【図６】
2005057589.tif 000008
【図７】
2005057589.tif 000009
【図８】
2005057589.tif 000010